(57)【要約】【課題】  プロジェクタシステムにおいて、比較的に大きなスクリーンに対して興趣のある効果的な演出を行う。【解決手段】  プロジェクタシステムＰＳは、映像信号Ｄｐを受け取ってスクリーンＳＣ上に投影画像ＧＰを投影する投影部１１０と、投影画像ＧＰの位置を移動する位置移動部１２０と、スクリーンＳＣに対応した大きさの画像領域を有する仮想フレームデータＶＦを保持するフレームバッファ１３５と、仮想フレームデータＶＦから映像信号Ｄｐを抽出し、前記投影部に出力する画像抽出部１３０と、投影画像ＧＰと映像信号Ｄｐとの位置が対応するように、位置移動部１２０および画像抽出部１３０を制御する制御部１４０とを備えた。【選択図】  図２
2005309213.tif 000002
【特許請求の範囲】
【請求項１】
画像を投影するプロジェクタシステムであって、
所定の大きさの画像に対応した映像信号を受け取って、該画像を投影面上に投影する投影部と、
該投影部により投影された画像の前記投影面上の位置を移動する位置移動部と、
前記投影される画像よりも大きな画像領域に対応した画像データから、該画像領域上の所定の位置における前記所定の大きさの画像に対応した映像信号を抽出し、前記投影部に出力する画像抽出部と、
前記抽出された映像信号の前記画像領域上の位置に対応した前記投影面上の位置に前記画像が投影されるように、前記位置移動部および前記画像抽出部と制御信号をやり取りする投影制御部と
を備えたプロジェクタシステム。
【請求項２】
前記投影制御部は、前記投影面上において前記移動される画像の位置に応じて前記画像抽出部に指示を行い、前記画像領域上において前記抽出される映像信号の位置を変更する抽出位置変更部を備えた請求項１記載のプロジェクタシステム。
【請求項３】
請求項２記載のプロジェクタシステムであって、
前記抽出位置変更部は、前記投影面上において前記移動される画像の位置を、時系列的に記憶した移動位置記憶部を備えると共に、
前記記憶された画像の位置を順次読み出し、該位置に応じて前記画像抽出部に指示を行い、前記画像領域上において前記抽出される映像信号の位置を変更する
プロジェクタシステム。
【請求項４】
請求項２記載のプロジェクタシステムであって、
前記抽出位置変更部は、ユーザまたは外部機器からの前記投影面上において前記移動される画像の位置を指示する入力を受ける移動位置入力部を備えると共に、
前記入力された画像の位置に応じて前記画像抽出部に指示を行い、前記画像領域上において前記抽出される映像信号の位置を変更する
プロジェクタシステム。
【請求項５】
前記投影制御部は、前記画像領域上において前記抽出される映像信号の位置に応じて前記位置移動部に指示を行い、前記投影面上において前記移動される画像の位置を変更する移動位置変更部を備えた請求項１記載のプロジェクタシステム。
【請求項６】
請求項５記載のプロジェクタシステムであって、
前記移動位置変更部は、前記画像領域上において前記抽出される映像信号の位置を、時系列的に記憶した抽出位置記憶部を備えると共に、
前記記憶された映像信号の位置を順次読み出し、該位置に応じて前記位置移動部に指示を行い、前記投影面上において前記移動される画像の位置を変更する
プロジェクタシステム。
【請求項７】
請求項５記載のプロジェクタシステムであって、
前記移動位置変更部は、ユーザまたは外部機器からの前記画像領域上において前記抽出される映像信号の位置を指示する入力を受ける抽出位置入力部を備えると共に、
前記入力された映像信号の位置の指示に応じて前記位置移動部に指示を行い、前記投影面上において前記移動される画像の位置を変更する
プロジェクタシステム。
【請求項８】
前記画像データは、複数のフレームから成る動画像データである請求項１ないし７のいずれか記載のプロジェクタシステム。
【発明の詳細な説明】
【技術分野】
【０００１】
本発明は、スクリーン上への画像の投影を実現するプロジェクタシステムに関するものである。
【背景技術】
【０００２】
プロジェクタシステムは、光を発する光源ランプと、液晶パネル等を用いて光源ランプからの光を画像データに基づいて変調する光変調装置と、変調された光をスクリーン上に結像させる結像光学系とを有する投影部を備え、スクリーン上への画像の投影を実現するシステムである。
【０００３】
従来、投影された投影画像よりも比較的に大きなスクリーン（例えば、１辺が１０メートルを超えるもの）に対して興趣のある効果的な演出を行うため、投影画像の内容に応じて、スクリーン上における投影画像の位置を移動させるプロジェクタシステムが提案されている。例えば、下記特許文献１には、投影画像の元となる投影画像データを撮影する際には、撮影機器の移動データを投影画像データに同期させて取得し、この投影画像データを投影する際には、同期させて取得した移動データに応じて投影画像の位置を移動させるプロジェクタシステムが開示されている。
【０００４】
【特許文献１】特開平９−１４９２９６号公報
【発明の開示】
【発明が解決しようとする課題】
【０００５】
しかしながら、従来のプロジェクタシステムは、特殊な撮影機器によって記録された特殊な投影画像データを必要とするため、大きなスクリーンに対する効果的な演出を実現可能な投影画像データが限定されてしまうという問題があった。
【０００６】
本発明は、上記した課題を踏まえ、プロジェクタシステムにおいて、比較的に大きなスクリーンに対して興趣のある効果的な演出を行うことを目的とする。
【課題を解決するための手段】
【０００７】
上記した課題を解決するため、本発明のプロジェクタシステムは、画像を投影するプロジェクタシステムであって、所定の大きさの画像に対応した映像信号を受け取って、該画像を投影面上に投影する投影部と、該投影部により投影された画像の前記投影面上の位置を移動する位置移動部と、前記投影される画像よりも大きな画像領域に対応した画像データから、該画像領域上の所定の位置における前記所定の大きさの画像に対応した映像信号を抽出し、前記投影部に出力する画像抽出部と、前記抽出された映像信号の前記画像領域上の位置に対応した前記投影面上の位置に前記画像が投影されるように、前記位置移動部および前記画像抽出部と制御信号をやり取りする投影制御部とを備えたことを特徴とする。本発明のプロジェクタシステムによれば、特殊な撮影機器や特殊な投影画像データを用いることなく、比較的に大きな投影面に対して興趣のある効果的な演出を行うことができる。
【０００８】
上記の構成を有する本発明のプロジェクタシステムは、以下の態様を採ることもできる。前記投影制御部は、前記投影面上において前記移動される画像の位置に応じて前記画像抽出部に指示を行い、前記画像領域上において前記抽出される映像信号の位置を変更する抽出位置変更部を備えても良い。さらに、前記抽出位置変更部は、前記投影面上において前記移動される画像の位置を、時系列的に記憶した移動位置記憶部を備えると共に、前記記憶された画像の位置を順次読み出し、該位置に応じて前記画像抽出部に指示を行い、前記画像領域上において前記抽出される映像信号の位置を変更することとしても良いし、前記抽出位置変更部は、ユーザまたは外部機器からの前記投影面上において前記移動される画像の位置を指示する入力を受ける移動位置入力部を備えると共に、前記入力された画像の位置に応じて前記画像抽出部に指示を行い、前記画像領域上において前記抽出される映像信号の位置を変更することとしても良い。これらのプロジェクタシステムによれば、投影面上において移動される画像の位置を基準とした観点からの種々の演出を実現することが可能となる。
【０００９】
また、前記投影制御部は、前記画像領域上において前記抽出される映像信号の位置に応じて前記位置移動部に指示を行い、前記投影面上において前記移動される画像の位置を変更する移動位置変更部を備えても良い。さらに、前記移動位置変更部は、前記画像領域上において前記抽出される映像信号の位置を、時系列的に記憶した抽出位置記憶部を備えると共に、前記記憶された映像信号の位置を順次読み出し、該位置に応じて前記位置移動部に指示を行い、前記投影面上において前記移動される画像の位置を変更することとしても良いし、前記移動位置変更部は、ユーザまたは外部機器からの前記画像領域上において前記抽出される映像信号の位置を指示する入力を受ける抽出位置入力部を備えると共に、前記入力された映像信号の位置の指示に応じて前記位置移動部に指示を行い、前記投影面上において前記移動される画像の位置を変更することとしても良い。これらのプロジェクタシステムによれば、画像領域上において抽出される映像信号の位置を基準とした観点からの種々の演出を実現することが可能となる。
【００１０】
また、前記画像データは、複数のフレームから成る動画像データであっても良い。これによって、例えば、被写体（例えば、鳥、飛行機など）がフレーム内を動き回る画像データを用いて、その被写体の動きに合わせて投影される画像の位置を移動させる等、より興趣のある効果的な演出を行うことができる。また、前記画像データは、静止画像データであっても良いし、文字情報であっても良い。
【発明を実施するための最良の形態】
【００１１】
以上説明した本発明の構成および作用を一層明らかにするために、以下本発明を適用したプロジェクタシステムについて、次の順序で説明する。
【００１２】
目次
Ａ．第１の実施例
Ａ−（１）．プロジェクタシステムＰＳの構成
Ａ−（２）．プロジェクタシステムＰＳの動作
Ｂ．第２の実施例
Ｃ．その他の実施形態
【００１３】
Ａ．第１の実施例：
本発明の第１の実施例のプロジェクタシステムＰＳについて説明する。プロジェクタシステムＰＳは、スクリーンＳＣ上への画像の投影を実現するシステムである。
【００１４】
Ａ−（１）．プロジェクタシステムＰＳの構成：
第１の実施例のプロジェクタシステムＰＳの構成について説明する。図１は、プロジェクタシステムＰＳの外観構成を示す説明図である。プロジェクタシステムＰＳは、スクリーンＳＣ上に画像を投影するプロジェクタ１０と、種々のデータをプロジェクタ１０に送信するパーソナルコンピュータ（以下、単にパソコンという）２０と、パソコン２０に接続され、ユーザからの方向指示入力を受け付けるジョイスティック３０とを備える。
【００１５】
プロジェクタ１０は、投影部１１０と位置移動部１２０とを備える。投影部１１０は、光を発する光源ランプ，液晶パネル等を用いて光源ランプからの光を画像データに基づいて変調する光変調装置，変調された光をスクリーンＳＣ上に結像させる結像光学系等から構成されている。この構成よって投影部１１０は、投影画像ＧＰの大きさに対応した映像信号Ｄｐを受け取って、スクリーンＳＣ上に投影画像ＧＰを投影する。映像信号Ｄｐは、ＲＧＢ(Red・Green・Blue)信号である。スクリーンＳＣは、投影画像ＧＰよりも大きなものである。本実施例の投影画像ＧＰは、縦横比が３対４の長方形であり、対角線の長さが６０インチの大きさである。本実施例のスクリーンＳＣは、投影画像ＧＰよりも大きなものであり、縦９メートル，横１２メートルの長方形である。
【００１６】
位置移動部１２０は、パン角度Ａｐ方向に投影部１１０を移動させるモータ，チルト角度Ａｔ方向に投影部１１０を移動させるモータなどから構成されている。この構成によって位置移動部１２０は、投影部１１０が格納された筐体の向きをパン角度Ａｐ方向およびチルト角度Ａｔ方向へと変更し、スクリーンＳＣ上における投影画像ＧＰの位置を移動する。例えば、図１に示すように、投影画像ＧＰの位置を、投影画像ＧＰ１の位置から投影画像ＧＰ２の位置へと移動させることが可能である。なお、投影部１１０は、スクリーンＳＣ上の移動によって生じる投影画像ＧＰの台形ひずみを、位置移動部１２０によるパン角度Ａｐおよびチルト角度Ａｔの変更に応じて補正することが可能である。
【００１７】
パソコン２０は、ＣＰＵ(Central Processing Unit)，ＲＯＭ(Read Only Memory)，ＲＡＭ(Random Access Memory)，ハードディスクドライブ等を備え、プロジェクタ１０への種々のデータの送信や、ジョイスティック３０から方向指示データの受信が可能である。本実施例のパソコン２０は、スクリーンＳＣに投影するための画像データや、投影画像ＧＰの位置を移動させるための移動データを予め記憶しており、これらのデータをプロジェクタ１０に適宜送信する。本実施例の画像データは、複数のフレームから成る動画像データであり、各フレームは、パソコン２０からプロジェクタ１０へとＲＧＢ信号によって送信される。
【００１８】
図２は、プロジェクタシステムＰＳの構成を機能的に示すブロック図である。プロジェクタ１０は、投影部１１０や位置移動部１２０の他、スクリーンＳＣに対応した大きさの画像領域を有する仮想フレームデータＶＦを保持するフレームバッファ１３５を有する画像抽出部１３０と、位置移動部１１０および画像抽出部１３０と制御信号をやり取りする制御部１４０と、パソコン２０とのデータのやり取りを行うＰＣインタフェース１５０と、ユーザとのやり取りを行うユーザインタフェース１６０とを備える。
【００１９】
画像抽出部１３０は、画像処理回路が形成されたＡＳＩＣ(Application Specified IC)によって構成され、フレームバッファ１３５に保持された仮想フレームデータＶＦの一部を、投影画像ＧＰに対応した大きさの画像領域を有する映像信号Ｄｐとして抽出し、該映像信号Ｄｐを投影部１１０に送信する。フレームバッファ１３５には、パソコン２０からＲＧＢ信号として送信されたフレームが、所定の間隔で順に、仮想フレームデータＶＦとして保持される。
【００２０】
制御部１４０は、ＣＰＵ，ＲＯＭ，ＲＡＭなどから構成され、パソコン２０から送信された移動データに基づいて、映像信号Ｄｐが抽出された仮想フレームデータＶＦ上の画像領域の位置に対応したスクリーンＳＣ上の位置に、投影画像ＧＰが投影されるように、位置移動部１２０および画像抽出部１３０と制御信号のやり取りを行う「投影制御処理」を行う。投影制御処理において制御部１４０は、位置移動部１２０に対してスクリーンＳＣ上で移動させる投影画像ＧＰの位置である移動位置を指示し、画像抽出部１３０に対して仮想フレームデータＶＦ上から抽出される映像信号Ｄｐの位置である抽出位置を指示する。投影制御処理の詳細については後述する。
【００２１】
ＰＣインタフェース１５０は、ＲＳ−２３２Ｃ(Recommended Standard 232c)等の規格に準拠したインタフェース機器であり、パソコン２０との種々のデータのやり取りを実現する。ユーザインタフェース１６０は、ユーザからの入力を受け付ける種々のスイッチボタンや、プロジェクタ１０の処理状態等を表示する液晶パネル等から構成され、ユーザとのやり取りを実現する。
【００２２】
Ａ−（２）．プロジェクタシステムＰＳの動作：
プロジェクタシステムＰＳの動作について説明する。本実施例では、プロジェクタシステムＰＳは、パソコン２０に予め記憶された動画像データおよび移動データに基づいて、スクリーンＳＣ上への画像の投影を行う。パソコン２０は、移動データを制御部１４０に送信した後、所定のタイミングで、動画像データの各フレームを仮想フレームデータＶＦとしてフレームバッファ１３５に送信し、仮想フレームデータＶＦの書き換えを行う。制御部１４０は、パソコン２０から受信した移動データに基づいて投影制御処理を実行する。
【００２３】
ここで、第１の実施例の移動データについて説明する。図３は、移動データの一例の概要を示す説明図である。第１の実施例の移動データは、抽出位置が指定されたデータである。図３に示した移動データは、経過時間に応じた抽出位置の移動態様を示すタイムアドレスｉ毎に、その移動態様の切換タイミングを示すアクションタイムＡＴ（ｉ），その移動態様において抽出位置を移動させる横方向の目標座標を示す横目標座標Ｘ（ｉ），その移動態様において抽出位置を移動させる縦方向の目標座標を示す縦目標座標Ｙ（ｉ），その移動態様において抽出位置を目標座標へ移動させる移動速度Ｓ（ｉ）を有する。
【００２４】
なお、最初のタイムアドレス０は、初期値を設定するものであるため、移動速度Ｓ（０）はヌルとされている。また、最終のタイムアドレス５は、投影終了を指示するものであるため、アクションタイムＡＴ（５）は「−１」に設定され、その他のデータはヌルとされている。
【００２５】
図４は、映像信号Ｄｐの抽出位置を示す説明図である。仮想フレームデータＶＦには、長方形の左上隅を原点とし、横方向にＸ軸座標，縦方向にＹ軸座標が設定されている。図３中の横目標座標Ｘ（ｉ），縦目標座標Ｙ（ｉ）は、抽出される映像信号Ｄｐの左上隅の座標を示している。
【００２６】
第１の実施例の制御部１４０が実行する投影制御処理について説明する。図５は、第１の実施例の制御部１４０が実行する投影制御処理を示すフローチャートである。制御部１４０は、パソコン２０から移動データを受信すると、仮想フレームデータＶＦの書き換えのタイミングに同期したタイマｔをリセットすると共に、「タイムアドレスｉ＝０」として初期設定を行った後、図５に示した投影制御処理を所定のタイミングで繰り返し実行する。
【００２７】
制御部１４０は、投影制御処理を開始すると、抽出位置の初期値を設定するため、「アクションタイムＡＴ（ｉ）＝０」であるか否かを判断する（ステップＳ１１０）。初回の投影制御処理の場合には、図３に示すように「アクションタイムＡＴ（０）＝０」であるため、抽出位置の座標を図３に示す［Ｘ（０），Ｙ（０）］に設定し（ステップＳ１１２）、タイムアドレスｉを「ｉ＋１」とする（ステップＳ１１４）。その後、抽出位置を画像抽出部１３０に対して指示し（ステップＳ１７０）、この抽出位置に対応した移動位置を位置移動部１２０に対して指示した後（ステップＳ１８０）、投影制御処理を終了する。
【００２８】
一方、２回目以降の投影制御処理の場合には、初期判断の後（ステップＳ１１０）、投影終了の判断を行うために「アクションタイムＡＴ（ｉ）＝−１」であるか否かを判断する（ステップＳ１２０）。上述した通り、図３に示した移動データは、最終タイムアドレス以外のタイムアドレスは、「アクションタイムＡＴ（ｉ）＝−１」ではない。よって、タイムアドレスｉが最終タイムアドレスでない場合には（ステップＳ１２０）、タイムアドレスｉを次に移行させるか否かを判断するため、「アクションタイムＡＴ（ｉ）≦タイマｔ」であるか否かを判断する（ステップＳ１３０）。
【００２９】
「アクションタイムＡＴ（ｉ）≦タイマｔ」であると判断した場合には（ステップＳ１３０）、抽出位置の目標座標を図３に示す［Ｘ（ｉ），Ｙ（ｉ）］に設定すると共に、この目標座標への移動速度を図３に示す「Ｓ（ｉ）」に設定し（ステップＳ１４０）、タイムアドレスｉを「ｉ＋１」とする（ステップＳ１５０）。その後、設定された目標座標および移動速度に基づいて抽出位置を算出する（ステップＳ１６０）。一方、「アクションタイムＡＴ（ｉ）≦タイマｔ」でないと判断した場合には（ステップＳ１３０）、目標座標および移動速度の設定を更新することなく、設定された目標座標および移動速度に基づいて抽出位置を算出する（ステップＳ１６０）。
【００３０】
抽出位置を算出した後（ステップＳ１６０）、抽出位置を画像抽出部１３０に対して指示し（ステップＳ１７０）、この抽出位置に対応した移動位置を位置移動部１２０に対して指示した後（ステップＳ１８０）、投影制御処理を終了する。
【００３１】
タイムアドレスｉが最終アドレスとなるまで上記の投影制御処理を繰り返し実行することによって、図４に示した矢印方向へと映像信号Ｄｐの抽出位置が移動する。タイムアドレスが最終アドレスとなった場合には（ステップＳ１２０）、投影制御処理の繰り返しを終了させる投影完了処理を実行した後（ステップＳ１２２）、図３に示した移動データに基づく投影制御処理を完了する。
【００３２】
以上説明した第１の実施例のプロジェクタシステムＰＳによれば、特殊な撮影機器や特殊な投影画像データを用いることなく、比較的に大きなスクリーンＳＣに対して興趣のある効果的な演出を行うことができる。
【００３３】
Ｂ．第２の実施例：
本発明の第２の実施例のプロジェクタシステムＰＳについて説明する。第２の実施例のプロジェクタシステムＰＳは、第１の実施例のプロジェクタシステムＰＳの構成と同一であるが、パソコン２０から制御部１４０に送信される移動データの構成と、この移動データを取り扱うパソコン２０および制御部１４０の動作が異なる。
【００３４】
第２の実施例の移動データは、ジョイスティック３０に入力されたユーザからの方向指示データに基づいてパソコン２０によって算出された移動位置の座標データである。パソコン２０は、所定のタイミングで、動画像データの各フレームを仮想フレームデータＶＦとしてフレームバッファ１３５に送信すると共に、ジョイスティック３０からの方向指示データに基づく移動データを制御部１４０に送信する。制御部１４０は、パソコン２０から受信した移動データに基づいて投影制御処理を実行する。
【００３５】
第２の実施例の制御部１４０が実行する投影制御処理について説明する。図６は、第２の実施例の制御部１４０が実行する投影制御処理を示すフローチャートである。制御部１４０は、仮想フレームデータＶＦの書き換えのタイミングに同期したタイミングで、図６に示した投影制御処理を繰り返し実行する。
【００３６】
制御部１４０は、投影制御処理を開始すると、パソコン２０から送信された移動データを受信した後（ステップＳ２１０）、受信した移動データの移動位置に対応した抽出位置を算出する（ステップＳ２２０）。その後、抽出位置を画像抽出部１３０に対して指示し（ステップＳ２３０）、この抽出位置に対応した移動位置を位置移動部１２０に対して指示した後（ステップＳ２４０）、投影制御処理を終了する。
【００３７】
以上説明した第２の実施例のプロジェクタシステムＰＳによれば、第１の実施例と同様に、特殊な撮影機器や特殊な投影画像データを用いることなく、比較的に大きなスクリーンＳＣに対して興趣のある効果的な演出を行うことができる。
【００３８】
Ｃ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、投影画像ＧＰを、反射鏡を用いて移動させることとしても良い。図７は、その他の態様のプロジェクタ１１を示す説明図である。プロジェクタ１１の位置移動部１２１は、第１の実施例のプロジェクタ１０ように投影部１１０が格納された筐体を移動させる構造ではなく、図７に示すように、投影部１１１からの投影光をスクリーンＳＣに反射させる反射鏡１２５，パン角度Ａｐ方向に反射鏡１２５を移動させるモータ，チルト角度Ａｔ方向に反射鏡１２５を移動させるモータなどから構成されている。これによって、投影部１１０の筐体を移動させるよりも投影画像ＧＰの移動速度を高めることが可能となり、目の残像を利用して見かけ上の投影画像ＧＰの大きさを拡大することが可能となる。
【００３９】
また、映像信号Ｄｐを抽出するための仮想フレームデータＶＦは、動画像データに限るものではなく、静止画像データや文字情報であっても良い。また、仮想フレームデータＶＦや移動データをパソコン２０から取得するのではなく、ハードディスクレコーダやＤＶＤレコーダ，デジタルカメラ等の外部機器や、インターネット等の通信回線を通じて取得することとしても良いし、プロジェクタ１０の内部に予め記憶しても良い。また、移動データを仮想フレームデータＶＦのメタ情報として取り扱うこととしても良い。また、プロジェクタ１０にジョイスティック３０を直接接続することによって、パソコン２０を介さずに方向指示データを受け取ることとしても良い。
【００４０】
また、プロジェクタシステムＰＳは、投影部１１０および位置移動部１２０を複数備え、一つの仮想フレームデータＶＦから、それぞれの投影部１１０が投影するための映像信号Ｄｐを抽出することとしても良い。この場合には、それぞれの投影部１１０の投影画像ＧＰが重なる部分の輝度を高めることとしても良いし、逆に、投影画像ＧＰの重なりを感じさせないように画像処理を行うこととしても良い。
【００４１】
また、投影画像ＧＰおよびスクリーンＳＣの大きさは、前述の大きさに限るものではないのは勿論である。また、スクリーンＳＣは、投影画像Ｇｐよりも大きく平坦な面であれば良く、建物の壁であっても良い。また、投影部１１０は、スクリーンＳＣとの距離や角度を検出するセンサを備えることによって、このセンサの検出データに基づいて投影画像ＧＰの台形ひずみを補正することとしても良い。また、フレームや映像信号Ｄｐのやり取りは、ＲＧＢ信号などの映像信号を取り扱う方式に限るものではなく、種々のデータ形式による画像データを取り扱う方式で行っても良い。
【図面の簡単な説明】
【００４２】
【図１】プロジェクタシステムＰＳの外観構成を示す説明図である。
【図２】プロジェクタシステムＰＳの構成を機能的に示すブロック図である。
【図３】移動データの一例の概要を示す説明図である。
【図４】映像信号Ｄｐの抽出位置を示す説明図である。
【図５】第１の実施例の制御部１４０が実行する投影制御処理を示すフローチャートである。
【図６】第２の実施例の制御部１４０が実行する投影制御処理を示すフローチャートである。
【図７】その他の態様のプロジェクタ１１を示す説明図である。
【符号の説明】
【００４３】
ＰＳ...プロジェクタシステム
ＳＣ...スクリーン
１０，１１...プロジェクタ
２０...パソコン
３０...ジョイスティック
１１０...位置移動部
１１０，１１１...投影部
１２０，１２１...位置移動部
１２５...反射鏡
１３０...画像抽出部
１３５...フレームバッファ
１４０...制御部
１５０...ＰＣインタフェース
１６０...ユーザインタフェース
ＶＦ...仮想フレームデータ
Ｄｐ...映像信号
ＧＰ，ＧＰ１，ＧＰ２...投影画像
【図１】
2005309213.tif 000003
【図２】
2005309213.tif 000004
【図３】
2005309213.tif 000005
【図４】
2005309213.tif 000006
【図５】
2005309213.tif 000007
【図６】
2005309213.tif 000008
【図７】
2005309213.tif 000009